(57)【特許請求の範囲】
【請求項１】
内側に設けられたプラスチック層を備えた複合フィルムから成る袋またはバッグの形の再閉鎖可能な包装容器であって、容器の上縁部（５）に配置された、容器の全内法幅にわたって延びるプラスチックから成る閉鎖装置（６）が設けられており、該閉鎖装置（６）が、容器の前壁（１）に結合された第１の閉鎖部分（８，９）と、容器の後壁に結合された第２の閉鎖部分とを有しており、一方の閉鎖部分が、溝状の収容プロファイルを備えた異形成形ストリップ（８）を有しており、他方の閉鎖部分が、キー状の係合プロファイルを備えた異形成形ストリップを有しており、両閉鎖部分が、前記異形成形ストリップにそれぞれ一体に成形された接続ラグ（９）を備えており、該接続ラグ（９）が、それぞれ容器の前壁もしくは後壁に結合シーム（１０）によって結合されており、さらにスライダ（７）が設けられており、該スライダ（７）が、前記異形成形ストリップに馬乗り状に被さっていて、摺動時に前記異形成形ストリップを密封するように押し合わせるか、もしくは開封するように互いに引き離すようになっている形式のものにおいて、両接続ラグ（９）が、互いに結合されていて、該接続ラグ（９）の結合を分離開放することによって開放され得る第１の閉鎖部を形成しており、当該包装容器が、サイドガゼット（２，３）を備えたサイドガゼット袋またはサイドガゼットバッグとして形成されており、接続ラグの下縁部（１２）が互いに繋がり合うように結合されていて、これにより前記開放され得る第１の閉鎖部を形成しており、サイドガゼット（２，３）が、Ｕ字形の結合シーム（４）によって、当該包装容器の前壁および後壁の、サイドガゼット（２，３）に隣接した縁部に結合されており、さらにサイドガゼット（２，３）が、容器の上縁部（５）よりも下方でかつ閉鎖装置（６）の両接続ラグのうちの一方の接続ラグの下縁部（１２）よりも上方に位置する範囲で切欠き（１３）を備えており、該切欠き（１３）の範囲が、隣接した接続ラグ（９）と、隣接した容器壁（１）との間で結合シーム（１０）によって閉鎖されており、サイドガゼット部分（２，３）が、さしあたり閉鎖装置（６）の挿入および固定のために結合されていない、容器の上縁部（５）に隣接した範囲で容器の前壁および／または後壁とあとから結合されるようになっており、閉鎖装置（６）の接続ラグ（９，９ａ）の両外端部が、あとから形成されるそれぞれ同じ側の結合シームに埋め込まれていることを特徴とする、再閉鎖可能な包装容器。
【請求項２】
接続ラグの下縁部（１２）が、容器の上縁部（５）の下方約１８〜３０ｍｍのところに延びている、請求項１記載の包装容器。
【請求項３】
サイドガゼット（２，３）に設けられた切欠きが、サイドガゼット（２，３）の上端部（１１）に隣接した方の接続ラグ（９）と、隣接した容器壁（１）とを互いに結合する約７〜１５ｍｍ幅の結合シーム（１０）のほぼ真ん中に設置されている、請求項１記載の包装容器。
【請求項４】
サイドガゼット（２，３）に設けられた切欠き（１３）が打抜き加工によって形成されている、請求項１または３記載の包装容器。
【請求項５】
サイドガゼット（２，３）と容器の前壁および後壁の上側の範囲との間にあとから設けられる結合シームの長さが約４０〜６０ｍｍである、請求項１記載の包装容器。
【発明の詳細な説明】
【０００１】
【発明の属する技術分野】
本発明は、プラスチックフィルムまたは内側に設けられたプラスチック層を備えた複合フィルムから成る袋またはバッグの形の再閉鎖可能な包装容器であって、容器の上縁部に配置された、容器の全内法幅にわたって延びるプラスチックから成る閉鎖装置が設けられており、該閉鎖装置が、容器の前壁に結合された第１の閉鎖部分と、容器の後壁に結合された第２の閉鎖部分とを有しており、一方の閉鎖部分が、溝状の収容プロファイル（収容横断面）を備えた異形成形ストリップを有しており、他方の閉鎖部分が、キー状の係合プロファイル（係合横断面）を備えた異形成形ストリップを有しており、両閉鎖部分が、前記異形成形ストリップにそれぞれ一体に成形された接続ラグを備えており、該接続ラグが、それぞれ容器の前壁もしくは後壁に結合シームによって結合されており、さらにスライダが設けられており、該スライダが、前記異形成形ストリップに馬乗り状に被さっていて、摺動時に前記異形成形ストリップを密封するように押し合わせるか、もしくは開封するように互いに引き離すようになっている形式のものに関する。
【０００２】
【従来の技術】
このような形式の公知の包装容器は種々の構成が知られている（欧州特許第０７６７６１４号明細書、国際公開第００／６４７６７号パンフレット、欧州特許出願公開第１０５３９４８号明細書、米国特許第５７７５８１２号明細書）。これらの公知の構成に共通しているのは、包装容器が平袋または平バッグとして形成されており、そして閉鎖装置の閉鎖部分の接続ラグが互いに別個に独立して袋またはバッグの前壁もしくは後壁に結合されているので、封印が必要とされる場合には、開放されて初めて、充填された充填物への接近を許すような別の閉鎖部が設けられなければならないことである。
【０００３】
【特許文献１】
欧州特許第０７６７６１４号明細書
【特許文献２】
国際公開第００／６４７６７号パンフレット
【特許文献３】
欧州特許出願公開第１０５３９４８号明細書
【特許文献４】
米国特許第５７７５８１２号明細書
【０００４】
【発明が解決しようとする課題】
本発明の課題は、冒頭で述べた形式の包装容器を改良して、再閉鎖可能な閉鎖装置による確実な閉鎖を極めて簡単に保証するような、より大きな収容能力（内容積）を有する包装容器を提供することである。
【０００５】
【課題を解決するための手段】
この課題を解決するために本発明の構成では、当該包装容器がサイドガゼット袋またはサイドガゼットバッグとして形成されており、サイドガゼットが、容器の上縁部よりも下方でかつ閉鎖装置の両接続ラグのうちの一方の接続ラグの下縁部よりも上方に位置する範囲で成端している（終わっている）か、または切欠きを備えており、サイドガゼットの上端部または該サイドガゼットの切欠きの範囲が、隣接した接続ラグと、隣接した容器壁との間で結合シームによって閉鎖されているようにした。
【０００６】
【発明の効果】
本発明による包装容器は同じ輪郭寸法に関して従来のものよりも著しく高い収容能力もしくは内容積を有していて、適当な底部形成時に固有の起立強度（Ｓｔａｎｄｆｅｓｔｉｇｋｅｉｔ）を有している。それと同時に、閉鎖装置により、サイドガゼットも容器内室の確実な閉鎖に取り込まれていることが確保される。閉鎖装置の閉鎖部分に設けられた接続ラグの下縁部の有利な相互結合に基づき、接続ラグ下縁部の結合を分離開放することによってしか開放され得ない第１の閉鎖部が提供されるので、同一の閉鎖装置によって基本的に望ましいとされる二重閉鎖が特に簡単に実現されている。
【０００７】
請求項２〜請求項８には、本発明の有利な構成が記載されている。
【０００８】
【発明の実施の形態】
以下に、本発明の実施の形態を図面につき詳しく説明する。
【０００９】
図示の包装容器はサイドガゼット袋（Ｓｅｉｔｅｎｆａｌｔｅｎｂｅｕｔｅｌ）またはサイドガゼットバッグ（Ｓｅｉｔｅｎｆａｌｔｅｎｓａｃｋ）の形を有していて、プラスチックフィルムまたはフィルム複合体から成っている。フィルム複合体の場合には、複合フィルムが、包装容器の内部に面した側の面にプラスチック層を備えている。
【００１０】
包装容器は、図１で見て手前側の前壁１と、図１で見て背後の、前壁１と完全に合致した構成の後壁１ａと、サイドガゼット（折込み）２，３により形成された２つの狭幅面壁と、図面にはよく見えていない底部とを有している。この底部は任意の構成を有していてよく、成形底部として形成されている場合には、狭幅面壁の幅に相当する幅を有している。したがって、包装容器は充填された状態では、直方体形の基本形状をとることができる。この基本形状は横断面で見てサイドガゼット２，３の寸法設定に応じて方形か、あるいはまた正方形を描くことができる。
【００１１】
前壁１は、サイドガゼット２，３および底部の、前壁１に接した縁部と、図１に示した正面図で見てＵ字形の結合シーム４によって結合されている。この結合シーム４は包装容器の上縁部５にまで延びている。全ての結合シームと同様に本発明による包装容器でも溶着シームもしくはシールシームとして形成されている相応する結合シームによって、図１で見て背後の後壁１ａもサイドガゼット２，３と底部とに結合されている。
【００１２】
包装容器の上側の開口縁部もしくは上縁部５は、全体を符号６で示した閉鎖装置を有している。この閉鎖装置６は容器の前壁１に結合された第１の閉鎖部分８，９と、容器の後壁１ａに結合された第２の閉鎖部分８ａ，９ｂとを有しており、この場合、第１の閉鎖部分は、たとえば溝状の収容プロファイルを備えた異形成形ストリップ８を有しており、第２の閉鎖部分は、たとえばキー状の係合プロファイルを備えた異形成形ストリップ８ａを有している。閉鎖部分８，９；８ａ，９ａは、異形成形ストリップ８，８ａに一体に成形された接続ラグ９，９ａを備えている。第１の閉鎖部分の接続ラグ９は容器の前壁１に結合されており、第２の閉鎖部分の接続ラグ９ａは容器の後壁１ａに結合されている。さらに、スライダ７が設けられており、このスライダ７は両閉鎖部分８，９；８ａ，９ａの異形成形ストリップ８，８ａに馬乗り状に被さっている。スライダ７が摺動させられると、スライダ７は両異形成形ストリップ８，８ａを密封のために押し合わせるか、もしくは両異形成形ストリップ８，８ａを開封のために互いに引き離す。
【００１３】
両閉鎖部分の閉鎖ラグ９，９ａはその下縁部１２で互いに結合されているか、または互いに一体的に移行し合っており、これにより両閉鎖ラグ９，９ａは、両閉鎖ラグ９，９ａの繋がった下縁部１２を分離開放することにより開放され得る第１の閉鎖部を形成する。この第１の閉鎖部が無傷であることにより、その時点まで包装容器内の充填物への接近が不可能であったことが判る。
【００１４】
たとえば後側の接続ラグ９ａと後壁１ａとの間では、包装容器の全長に比べて少しだけ短縮されているサイドガゼット２，３が成端している。サイドガゼット２，３は後側の接続ラグ９ａと後壁１ａとの間に結合シーム１０ａによって一緒に閉鎖されている。このことは特に図４に示されている。図４からは、結合シーム１０ａ内のサイドガゼット３の上縁部もしくは上端部１１の位置が良く判る。包装容器の１例では、サイドガゼット２，３の上端部１１は容器の上縁部５の下方約５〜１２ｍｍのところで成端しており、それに対して接続ラグ９，９′の下縁部１２は容器の上縁部５の下方約１８〜３０ｍｍのところで延びている。サイドガゼット２，３の上端部１１は、約７〜１５ｍｍの幅を有していてよい結合シーム１０のほぼ上側１／３の部分に設置されている。
【００１５】
包装容器の製造時では、前壁１とサイドガゼット２，３と（底部分と）を結合するＵ字形の外側の結合シーム４が、容器の上縁部５に接しかつ下方へ向かって仕切り線１３にまで達する範囲でまず切り欠かれ、そしてあとからの時点で、つまり閉鎖装置６を導入した後に、後設置される。このようなあとから設けられる結合シーム部分の長さは、約４０〜６０ｍｍである。これにより、閉鎖装置６の接続ラグ９，９′の両外端部を、結合シーム４の、あとから設けられるそれぞれ同一側（ｇｌｅｉｃｈｓｅｉｔｉｇ）の部分に埋め込むことが可能となるので、この点でも密な閉鎖が保証されている。
【００１６】
容器の充填は底部側から行うことができる。しかし、たとえば接続ラグ９と前壁１との間で結合シーム１０が少なくとも所定の範囲で切り欠かれていて、充填後にはじめて後設置される場合には、充填を上方から行うことも可能となる。
【図面の簡単な説明】
【図１】本発明による再閉鎖可能な包装容器の正面図である。
【図２】図１でＩＩで示した部分の拡大図である。
【図３】別の実施例を示す、図２と同様の拡大図である。
【図４】図１のＩＶ−ＩＶ線に沿った断面図である。
【符号の説明】
１  前壁、  １ａ  後壁、  ２，３  サイドガゼット、  ４  結合シーム、  ５  上縁部、  ６  閉鎖装置、  ７  スライダ、  ８，８ａ  異形成形ストリップ、  ９，９ａ  接続ラグ、  １０，１０ａ  結合シーム、  １１  上端部、  １２  下縁部、  １３  仕切り線
【図１】
0004395322.tif 000002
【図２】
0004395322.tif 000003
【図３】
0004395322.tif 000004
【図４】
0004395322.tif 000005